(57)【特許請求の範囲】
【請求項１】
第１のケース体と第２のケース体とがヒンジ部を介して回転自在に連結されている折り畳み式携帯通信機において、ヒンジ部の内部において一対のヒンジモジュールが磁石の作用により結合されており、各ヒンジモジュールには、ヒンジ部左右のいずれかより挿入される、先端部分に、いずれか一方がマグネット、いずれか他方がマグネットまたは磁性体を有するシャフトが備えられており、ヒンジ中央部においてマグネット同士またはマグネットと磁性体が接触することを特徴とする折り畳み式携帯通信機。
【請求項２】
各ヒンジモジュールには、一対の前記シャフトの先端部分には、互いに係合できる凹凸が設けられていることを特徴とする請求項１に記載の折り畳み式携帯通信機。
【請求項３】
各ヒンジモジュールは、前記第２のケース体に一体的に形成された円筒部と係合でき、該第２のケース体の円筒部内に配置される固定筒と、前記固定筒と係合でき、前記固定筒内に配置されるキャッチと、前記固定筒および前記キャッチ内に装着され、前記固定筒と前記キャッチとに両者が互いに乖離するように付勢するスプリングと、前記第１のケース体に一体的に形成された円筒部と係合でき、該第１のケース体の円筒部内に配置されるディスクと、がさらに備えられ、前記シャフト先端が前記固定筒、前記スプリングおよび前記キャッチを貫通してディスクに圧入されることを特徴とする請求項１または２に記載の折り畳み式携帯通信機。
【請求項４】
前記各部の係合が部品同士の凹凸によるものであることを特徴とする請求項３に記載の折り畳み式通信機。
【請求項５】
前記第１のケース体内に設けられた電気回路と前記第２のケース体内に設けられた電気回路との接続が、前記第１のケース体と一体的に形成された円筒部内と前記第２のケース体と一体的に形成された円筒部内とを経由するフレキシブルプリント板を介して行われることを特徴とする請求項１〜４のいずれかに記載の折り畳み式携帯通信機。
【請求項６】
前記フレキシブルプリント板が、円筒部内において一回巻かれていることを特徴とする請求項５に記載の折り畳み式携帯通信機。
【請求項７】
前記第１のケース体と前記第２のケース体とが所定の角度に開くと、前記ディスクと前記キャッチとの凹凸の係合により回転が停止されて、開いた状態を維持することを特徴とする請求項３から請求項６のいずれかに記載の折り畳み式携帯通信機。
【発明の詳細な説明】
【０００１】
【発明の属する技術分野】
本発明は折り畳み式携帯通信機に関し、特に組み立てが容易であり、小型化が可能であり、かつ、左右のヒンジモジュールの回転速度を等しくできるヒンジモジュール部を備えた折り畳み式携帯通信機に関する。
【０００２】
【従来の技術】
折り畳み式携帯通信機は、第１のケース体と第２のケース体とがヒンジ部を介して開閉自在に連結される。図６は、従来の折り畳み式携帯通信機の斜視図である。図６に示すように、第１のケース体１にはこれと一体的に円筒部１ａが形成されており、同様に第２のケース体２にはこれと一体的に円筒部２ａが形成されている。ヒンジ部において、両ケース体の円筒部１ａと円筒部２ａとが組み合わされ、ヒンジ部の左右からヒンジモジュール３、３′が挿入される。図７に示すように、第１のケース体１の内部には第１のプリント基板６が、また、第２のケース体２の内部には第２のプリント基板７が配置される。さらに、第１のプリント基板６と第２のプリント基板７との間のヒンジ部には、これらのプリント基板を電気的に接続するフレキシブルプリント板４が配置されている。
【０００３】
図８は、従来のヒンジモジュール３の分解斜視図である。シャフト３１の軸部分を、固定筒３２、スプリング３３およびキャッチ３４に挿入した後に、シャフト３１をディスク３５に圧入することにより、シャフト３１とディスク３５とを固定する。固定筒３２の内周面に形成されたガイドリブ３２ｂは、キャッチ３４の外周面に形成されたガイド溝３４ｂと係合できる。したがって、固定筒３２とキャッチ３４とは一体となって回転する。また、ディスク３５の固定筒３２とは反対側の側面上には、可撓性のあるフック３５ｃが形成されている。フック３５ｃは第１のケース体１の円筒部１ａと係合でき、固定筒３２等の抜け落ちを防止している。さらに、キャッチ３４のディスク３５側の側面には突起３４ａが形成されている。このキャッチ３４は、スプリング３３によりデイスク３５方向に付勢されている。
また、固定筒３２の外周面にはガイド溝３２ａが、デイスク３５外周面にはガイド溝３５ｂが形成され、それぞれ、第２のケース体２に付設される円筒部２ａの内周面に形成されたガイドリブ２ａ−１、第１のケース体１に付設される円筒部１ａの内周面に形成されたガイドリブ１ａ−１と係合できる。その結果、第２のケース体２は固定筒３２と、第１のケース体１はディスク３５と、それぞれ、一体となって回転できる。
さらに、ディスク３５の固定筒３２側の側面には凹溝３５ａが形成されている。この凹溝３５ａは、キャッチ３４側面の突起３４ａと係合できる。
【０００４】
図９は、ヒンジモジュール３の断面図である。折り畳み式携帯通信機を開閉することによりヒンジ部分を回転させると、キャッチ３４の突起３４ａがディスク３５上を回転し〔図９（ａ）〕、ディスク３５上の凹溝３５ａに達するとスプリング３３により押圧されて凹溝３５ａに入り込む。これにより、回転が停止される〔図９（ｂ）〕。
ヒンジモジュール３を第１、第２のケース体１、２に組み込むときは（図８）、第２のケース体２のガイドリブ２ａ−１に固定筒３２のガイド溝３２ａを合わせてヒンジモジュール３を挿入して推し進め、ディスク３５のガイド溝３５ｂを第１のケース体１のガイドリブ１ａ−１に係合させる。このとき、ディスク３５の凹溝３５ａと反対側の面上のフック３５ｃが第１のケース体１に係合する。これにより、固定筒３２等の抜け落ちは防止される。
【０００５】
【発明が解決しようとする課題】
しかしながら、上述した従来例においては、第１のプリント基板６と第２のプリント基板７とを電気的に接続するためのフレキシブルプリント板４の幅は、フック３５ｃが存在しているために（図７）制約を受ける。すなわち、携帯通信機の大きさを同じ大きさに保つためにはその幅を縮小する必要があった。もし、その幅を縮小しなければ、ヒンジ部全体の幅が広くなってしまい、大型化するなどの不具合を生じる。このことは、小型化・軽量化が望まれる近年の要請に対して、その対応が困難となる。
また、従来例は、誤ってケース体をねじってしまったときに、左右のヒンジモジュール３が別々に動いてしまい、機械的な安定性に欠ける等の問題があった。このため、左右のヒンジモジュールを一体的に動作できるようにして筐体の剛性を高めることが望まれていた。
本発明の課題は、上記の従来例の問題点を解決することであって、その目的は、折り畳み式携帯通信機において、組み立て性に優れ、装置の大型化には至らず、かつ、左右のヒンジモジュールを一体的に回転させることのできるヒンジモジュールの構造を提供することである。
【０００６】
【課題を解決するための手段】
かかる目的を達成するための本発明における第１の特徴は、従来技術にみられたフックを使用しないことである。フックによりフレキシブルプリント板の幅が制約される等の理由のため、フックの存在は小型化を妨げる要因となっていた。このため、フックを取り除くこととした。一方、フックは、第１のケース体と係合することにより、ヒンジモジュールの抜け落ちを防止する働きを持つ。この機能を果たさせるため、本発明においては、左右のヒンジモジュールのシャフト先端部分に、それぞれ、マグネットを装着する。シャフトが左右両端から挿入されて、ヒンジ部の中央部においてシャフト先端部同士が接触する。このマグネットの磁力により固定筒等の抜け落ちは防止される。本発明においては、シャフトの先端部分をディスクに圧入することによってもヒンジモジュールがケース体から抜け落ちることを防止している。そして、上記したマグネットの作用によって、さらにヒンジ部から固定筒等が離脱する可能性は減少する。
本発明の第２の特徴は、シャフトの先端部分を加工することにより、さらに、接合状態を改善し、左右のヒンジモジュールの回転速度を同一にできる。すなわち、一方のシャフトの先端部分に凹凸を持たせ、他のシャフトの先端部分をこれと係合できるように加工する。これにより、左右のヒンジモジュールが、より確実に一体となって回転できる。
【０００７】
【発明の実施の形態】
（実施の形態１）
図１は、本発明の実施の形態１における折り畳み式携帯通信機の、開いた状態の外観斜視図である。図１に示すように、第１のケース体１の円筒部１ａと第２のケース体２の円筒部2ａとが組み合わされ、両ケースの円筒部内にヒンジモジュール３、３′が挿入され、これにより両ケースは開閉自在となっている。また、第１のケース体１には、表示部５、受話器８およびアンテナ９等が装備されており、一方、第２のケース体２には、操作ボタン１０およびマイク１１等が装備されている。
図２は、本発明の実施の形態１におけるヒンジ部の断面図である。ヒンジ部の左右から、ヒンジモジュール３および３′が挿入されている。第１のケース体１の内部には第１のプリント基板６が、第２のケース体２の内部には第２のプリント基板７がそれぞれ配置される。さらに、第１のプリント基板６と第２のプリント基板７とは、ヒンジ部に配置されるフレキシブルプリント板４を介して電気的に接続されている。ここで、本発明のディスク３５には従来例では必要であったフックが形成されていない。したがって、フレキシブルプリント板４の幅がフックにより制約されることがなく、フックの分だけ折り畳み式携帯通信機の小型化が可能である。または、折り畳み式携帯通信機の大きさを同じにするならば、フレキシブルプリント板４の幅を広くとることもできる。なお、この図は、開閉途中の段階の状態を示す。
【０００８】
図３は、ヒンジモジュール３の分解斜視図である（ヒンジモジュール３′も同一構成である）。本発明のヒンジモジュール３は、シャフト３１、固定筒３２、スプリング３３、キャッチ３４およびディスク３５から構成される。固定筒３２の内周面に形成されたガイドリブ３２ｂは、キャッチ３４の外周面に設けられたガイド溝３４ｂと係合する。したがって、固定筒３２とキャッチ３４の両者は一体となって回転することができる。
固定筒３２の内部に、スプリング３３とキャッチ３４が挿入される。このとき、スプリング３３は、固定筒３２とキャッチ３４との間に挟み込まれた状態になる。そして、シャフト３１はディスク３５の円盤部中央の穴に圧入されて、ディスク３５とシャフト３１とを固定する。この圧入により、ディスク３５とシャフト３１との間に挿入されている、固定筒３２、スプリング３３およびキャッチ３４の抜け落ちを防止できる。シャフト３１の先端部分にはマグネット３１ａが配置され、さらに、キャッチ３４のディスク３５側の側面には突起３４ａが形成されている。
また、スプリング３３は、固定筒３２とキャッチ３４の内部に固定筒３２の側面とキャッチ３４側面に押圧されて収容される構造になっており、その結果、キャッチ３４はスプリング３３の弾性力によりディスク３５に押しつけられる。
【０００９】
一方、第１のケース体１の円筒部１ａと第２のケース体２の円筒部２ａとの内周面には、それぞれガイドリブ１ａ−１とガイドリブ２ａ−１が形成されている。
さらに、固定筒３２の外周面にはガイド溝３２ａが、ディスク３５の外周面にはガイド溝３５ｂがそれぞれ形成されている。そして、ガイド溝３２ａは第２のケース体２のガイドリブ２ａ−１と、ガイド溝３５ｂは第１のケース体１のガイドリブ１ａ−1と、それぞれ係合できる。したがって、固定筒３２は第２のケース体２と、ディスク３５は第１のケース体１と、それぞれ、一体となって回転する。なお、このとき、キャッチ３４の外周面のガイド溝３４ｂと固定筒３２の内周面のガイドリブ３２ｂとが係合しているため、キャッチ３４も第２のケース体２と一体となって回転する。
さらに、ディスク３５のキャッチ３４側の側面には凹溝３５ａが形成されている。キャッチ３４のディスク３５側の側面上に形成された突起３４ａはこの凹溝３５ａに入りこむことができる。
【００１０】
次に、ヒンジモジュール３の組み込み方について説明する。予め、第１のケース体１と第２のケース体２とを合体させておく。そして、まず、キャッチ３４の内部にスプリング３３を挿入する。次に、固定筒３２のガイドリブ３２ｂをキャッチ３４のガイド溝３４ｂに合致させてキャッチ３４を固定筒３２内部に挿入する。次に、シャフト３１を固定筒３２（キャッチ３４、スプリング３３も同時に）を通して、ディスク３５に圧入し、シャフト３１の軸部の所定位置でディスク３５に固定する。ヒンジモジュール３を、第１、第２のケース体の円筒部１ａ、２ａに装着する際には、円筒部１ａのガイドリブ１ａ−１と、円筒部２ａのガイドリブ２ａ−１とが同一直線上に載るように配置し、かつ、固定筒３２のガイド溝３２ａとディスク３５のガイド溝３５ｂとが同一直線上に載るように配置する。その状態で、第２のケース体２の円筒部２ａ内周面に形成されたガイドリブ２ａ−１と固定筒３２のガイド溝３２ａとを合致させた状態で内部へ推し進める。次に、ディスク３５のガイド溝３５ｂと、第１のケース体１の円筒部１ａ内部側面に設定されたガイドリブ１ａ−１とが係合されることにより、ディスク３５は第１のケース体１に固定される。
同様に、他方のヒンジモジュール３′についても同一の操作を行う。これにより、シャフト３１の先端部同士がヒンジ部の中央部において接触する。ここで、２つのシャフト３１のマグネット３１ａ先端部の磁極は互いに逆極性になされている。この結果、シャフト先端に配したマグネット３１ａの磁力によりシャフト３１同士が結合される。なお、このとき、マグネット３１ａが、ヒンジ部の中央部においてフレキシブルプリント板４の幅を制限することはない。また、シャフト３１の先端部同士は平坦な構造で接しているため、左右のヒンジモジュール同士の回転中心を同一にして回転させることが可能であり、左右が別々に動くことはない。すなわち、左右のヒンジモジュール３および３′が等速で回転する。したがって、折り畳み式携帯通信機はスムーズに開閉することができる。
以上に述べたように、本発明の折り畳み式携帯通信機は、ヒンジモジュール３および３′を外側から挿入するだけの簡単な操作を行うにより、組み立てることができる。また、フックを使用してないため、フレキシブルプリント板４に対する制約がなく、したがって、装置の小型化も可能である。
【００１１】
図４は、本実施の形態のヒンジモジュール３の断面図である。折り畳み式携帯通信機の２つのケース体を開閉することによりヒンジモジュール３を回転させると、キャッチ３４の突起３４ａがディスク３５上を回転する〔図４（ａ）〕。このとき、キャッチ３４はスプリング３３の弾性力によりディスク３５の方向に押圧されている。ディスク３５がある角度だけ回転すると、キャッチ３４上にある突起３４ａが凹溝３５ａに入りこむことにより所定の位置で回転が停止される〔図４（ｂ）〕。この突起３４ａと凹溝３５ａの位置を予め所定の位置に設定しておくことにより、開放状態における第１のケース体１と第２のケース体２との角度を、任意に調節することができる。
なお、開放状態から閉じた状態に至らしめるには、一方のケース体を閉成（ヒンジ部を回転）させるだけでよい。図示はしていないが、ディスク３５上の凹溝３５ａは、所定の方向に面取りされて（斜めに切り取られて）いる。このため、ケース体を閉成させると、突起３４ａがスプリング３３の弾性力に抗して斜めに切り取られた溝を回転しながら上昇する（突起３４ａの先端部がディスク３５の表面にでてくる〔図４（ａ）〕）。したがって、開閉動作は一定角度の範囲内では自由に行うことができる。
【００１２】
（実施の形態２）
次に、２つのケース体同士をさらに確実に一体となって回転させる実施の形態について説明する。上述した実施の形態１では、左右のシャフト３１の先端部分は加工を容易にするために、ともに、平らにしたものであった。加工の容易性は犠牲にしても、シャフト３１先端部の接触部分同士に凹凸を形成させて、一方の凹部が他方の凸部とが係合できるように加工することにより、さらに確実に２つのヒンジモジュール３および３′を一体的に回転させることができる。例えば、図５（ａ）から図５（ｃ）に示すように、一方のシャフトの先端部分を半円柱状、十文字状、または円柱状等になるように加工して、他方の先端部分をそれぞれ一方が入り込むような形状に加工する。このような加工を施すにより、さらに確実に、左右のヒンジモジュール同士を等速にて同一回転軸上を一体的に回転させることができる。ここで、確実な係合方法としては、これらの形状だけに限定されるものではない。
【００１３】
以上、本発明の好ましい実施の形態について説明したが、本発明はこれら実施の形態に限定されるものではなく、本発明の要旨を逸脱しない範囲内において適宜の変更が可能なものである。例えば、実施の形態において述べたガイド溝、ガイドリブ、等の数、形状、等は、上に述べたものだけに限定されるものではない。また、実施の形態では、両方のシャフトにマグネットが装備されていたが、必ずしもこのようにする必要はなく、一方は、鉄やフェライトなどの単なる磁性体であってもよい。
【００１４】
【発明の効果】
以上説明したように、本発明は、対をなすヒンジモジュール３、３′のシャフト３１の先端部分同士を磁力により結合するようにしたものであるので、従来必要であったフック３５ｃを用いないで済ますことが可能になり、フレキシブルプリント基板の通過するスペースを大きく確保することができ、より幅広のフレキシブルプリント基板を使用することが可能になる。あるいは携帯通信機の小型化が可能となる。
さらに、シャフト３１の先端部同士が磁力により結合するため、二つのヒンジモジュールの一体的な動作が可能となり、筐体の剛性を高めることができる。これにより、携帯通信機のスムーズな開閉も可能となり、また機械的損傷も未然に防止できる。この効果は、シャフト３１の先端部同士を凹凸形状に加工して両者を互いに係合させることにより、さらに高められる。
【図面の簡単な説明】
【図１】本発明の実施の形態１の開いた状態の斜視図。
【図２】本発明の実施の形態１のヒンジ部の断面図。
【図３】本発明の実施の形態１のヒンジモジュールの分解斜視図。
【図４】本発明の実施の形態１のヒンジモジュールの断面図。
【図５】本発明の実施の形態２のシャフト部の先端形状を示す斜視図。
【図６】従来例の斜視図。
【図７】従来例のヒンジ部の断面図。
【図８】従来例のヒンジモジュールの分解斜視図。
【図９】従来例のヒンジモジュールの断面図。
【符号の説明】
１  第１のケース体
１ａ  円筒部
１ａ−１  ガイドリブ
２  第２のケース体
２ａ  円筒部
２ａ−１  ガイドリブ
３、３′  ヒンジモジュール
４  フレキシブルプリント板
５  表示部
６  第１のプリント基板
７  第２のプリント基板
８  受話器
９  アンテナ
１０  操作ボタン
１１  マイク
３１  シャフト
３１ａ  マグネット
３２  固定筒
３２ａ  ガイド溝
３２ｂ  ガイドリブ
３３  スプリング
３４  キャッチ
３４ａ  突起
３４ｂ  ガイド溝
３５  ディスク
３５ａ  凹溝
３５ｂ  ガイド溝
３５ｃ  フック
【図１】
0003769486.tif 000002
【図２】
0003769486.tif 000003
【図３】
0003769486.tif 000004
【図４】
0003769486.tif 000005
【図５】
0003769486.tif 000006
【図６】
0003769486.tif 000007
【図７】
0003769486.tif 000008
【図８】
0003769486.tif 000009
【図９】
0003769486.tif 000010